(57)【要約】 【課題】  ラベルを台紙から剥離して瓶のような被貼着物にこの剥離したラベルを貼着するラベル貼着装置において、被貼着物の外径方向の大きさが異なった場合に簡単に適用できるラベル貼着装置を提供する。【解決手段】  ラベルシート７を移送する剥離エッジ部４にて台紙７０１とラベル７０２とに分離して被貼着物８を回転させながらラベル７０２を被貼着物８に貼着するラベル貼着装置であって、ラチェット機構を用いた角度調整ハンドル１０４にて前記剥離エッジ部４を揺動させて被貼着物８との位置を調整するともにラベル貼着時に前記剥離エッジ部４の揺動を阻止させる。【選択図】  図１
2007084085.tif 000002
【特許請求の範囲】
【請求項１】
先端にて先端軸を軸支する一対のアームと、前記アームを支持する支持板と、前記支持板を揺動させる第１歯車とから剥離エッジ部を構成し、前記第１歯車と噛み合う第２歯車と、一端に設けた前記第２歯車を回転させる歯車軸と、前記歯車軸の他端に設けたラチェット歯車と、前記ラチェット歯車に係合離脱自在なラチェット爪部と、前記ラチェット歯車を回転させる角度調整ハンドルと、前記剥離エッジ部の先端軸に対面した被貼着物を回転させるローラーとを有し、台紙にラベルを仮貼着したラベルシートを前記剥離エッジ部で前記被貼着物の方向に移送し前記先端軸にてラベルシートを台紙とラベルとに分離して被貼着物を回転させながらラベルを被貼着物に貼着するラベル貼着装置であって、前記角度調整ハンドルにて前記剥離エッジ部を揺動させて前記先端軸と被貼着物との位置を調整するとともにラベル貼着時に前記剥離エッジ部の揺動を阻止させることを特徴とするラベル貼着装置。
【請求項２】
前記角度調整ハンドルの操作内容を表示する表示板を設けたことを特徴とする請求項１記載のラベル貼着装置。
【発明の詳細な説明】
【技術分野】
【０００１】
本発明はラベルを台紙から剥離して瓶のような被貼着物にこの剥離したラベルを貼着するラベル貼着装置に関する。
【背景技術】
【０００２】
ラベルを台紙から剥離して瓶のような被貼着物にこの剥離したラベルを貼着するラベル貼着装置は種々知られているが、被貼着物の外径方向の大きさが異なった場合に簡単に適用できるラベル貼着装置が望まれる。この被貼着物の外径方向の大きさが異なった場合に適用できるラベル貼着装置として特許文献１記載のラベル貼付装置が知られている。
【０００３】
特許文献１に記載のラベル貼付装置は、ラベルが仮着された帯状台紙を間欠搬送させながら、供給リールから巻取リールまでの搬送途中で剥離板により転向搬送させることにより、前記帯状台紙からラベルを剥離して被貼付物に貼付する装置本体を支柱に支持してなるラベル貼付装置において、前記装置本体を、前記支柱に揺動自在に設けることによって、前記被貼付物に対する前記剥離板の位置調整を可能としている。
【０００４】
【特許文献１】特開２００３−１６０１１７号公報
【発明の開示】
【発明が解決しようとする課題】
【０００５】
特許文献１記載のラベル貼付装置は、装置本体を支柱に支持して揺動自在に被貼付物に対する剥離板の位置調整を行っており、その揺動には大掛かりな装置となっており、被貼付物はベルトコンベア上にあり、装置本体とは分離しており、装置全体が大きくなって小型化には不向きである。
【０００６】
本発明は、上記課題を解決して小型で被貼着物の外径方向の大きさが異なった場合に簡単に適用できるラベル貼着装置を提供することを目的とする。
【課題を解決するための手段】
【０００７】
先端にて先端軸を軸支する一対のアームと、前記アームを支持する支持板と、前記支持板を揺動させる第１歯車とから剥離エッジ部を構成し、前記第１歯車と噛み合う第２歯車と、一端に設けた前記第２歯車を回転させる歯車軸と、前記歯車軸の他端に設けたラチェット歯車と、前記ラチェット歯車に係合離脱自在なラチェット爪部と、前記ラチェット歯車を回転させる角度調整ハンドルと、前記剥離エッジ部の先端軸に対面した被貼着物を回転させるローラーとを有し、台紙にラベルを仮貼着したラベルシートを前記剥離エッジ部で前記被貼着物の方向に移送し前記先端軸にてラベルシートを台紙とラベルとに分離して被貼着物を回転させながらラベルを被貼着物に貼着するラベル貼着装置であって、前記角度調整ハンドルにて前記剥離エッジ部を揺動させて前記先端軸と被貼着物との位置を調整するともにラベル貼着時に前記剥離エッジ部の揺動を阻止させたことを特徴とする。
【０００８】
更に、本発明のラベル貼着装置は、前記角度調整ハンドルの操作内容を表示する表示板を設けたことを特徴とする。
【発明の効果】
【０００９】
本発明は角度調整ハンドル１０４にて前記剥離エッジ部４を揺動させて前記先端軸４０５と被貼着物８との位置を調整するとともにラベル貼着時に前記剥離エッジ部４の揺動を阻止させるので、簡単な構成で被貼着物の大きさが異なった場合に適用できるラベル貼着装置を提供することができる。
【発明を実施するための最良の形態】
【００１０】
図１および図２において、９はラベル貼着装置本体であり、ラベルシート７を送り出すラベルシート送り出し部１１と、ラベルシート７から台紙７０１とラベル７０２とに分離する剥離エッジ部４と、被貼着物８を回転させるローラー６ａ、６ｂと、剥離エッジ部４で分離された台紙７０１を駆動ローラー１５ａとピンチングローラー１５ｂとで圧接するラベルシート送り出し駆動部１５と、台紙７０１を巻取る台紙巻取り部１２とが配設されている。ラベルを貼着された被貼着物８は自動的にシューター１４に移載される。
【００１１】
前記ラベルシート７はガイド軸部１３のテンション軸１３ａで緊張させて、ガイド軸１３ｂ、１３ｃ、１３ｄ、１３ｅ、１３ｆを順に通り、ガイド部５のカラー５０２に軸支されたガイド軸５０１を介して剥離エッジ部４に送り出される。
【００１２】
剥離エッジ部４には、その先端に先端軸４０５を軸支する一対のアーム４０１と、前記アーム４０１を支持する支持板４０２と、前記支持板４０２を揺動させる第１歯車３０２が組み込まれている。更に、その後端にガイド軸４０４が一対のアーム４０１に軸支されており、前記ガイド軸４０４と前記先端軸４０５との中間位置に中間ガイド軸４０３も同様に一対のアーム４０１に軸支されている。上記の構成と、前記第１歯車３０２と噛み合う第２歯車１０６と、前記第２歯車１０６を一端にて回転させる歯車軸１０５と、前記歯車軸１０５の他端の軸受１０１に軸支して設けたラチェット歯車１０７とで剥離エッジの揺動部３を構成している。
【００１３】
前記ラチェット歯車１０７に係合離脱自在なラチェット爪部２と、前記ラチェット歯車１０７を回転させる軸受１０１に附属する角度調整ハンドル１０４とでラチェット機構を構成している。また、前記角度調整ハンドル１０４の操作内容を表示する表示板１０３がラベル貼着装置本体９のフロントベース９ａに設けられている。前記表示板１０３には被貼着物の外径方向の大きさが大きい場合の表示Ｌと小さい場合の表示Ｓが表示されており、指示レバー１０２がその表示位置を示すように角度調整ハンドル１０４の回転と連動している。前記ラチェット爪部２はフロントベース９ａに設けたレバー軸２０１およびねじりバネ支持軸ピン２０４を有し、ねじりバネ２０３の一端を前記レバーハンドル２０２に固定し他端をねじりバネ支持軸ピン２０４に保持してレバーハンドル２０２がレバー軸２０１の周りに回動させるとともに前記ラチェット爪部２をラチェット歯車１０７に圧接させている。
【００１４】
前記剥離エッジ部４の先端軸４０５に対面した被貼着物８を回転させるローラ６ａ、６ｂとを有し、台紙７０１にラベル７０２を仮貼着したラベルシート７を前記剥離エッジ部４に前記被貼着物８の方向に移送し前記先端軸４０５にてラベルシート７を台紙７０１とラベル７０２とに分離させ、押えローラー１０がｈ方向に移動して圧接状態で被貼着物８を回転させながらラベル７０２を被貼着物８に貼着する。その際、前記角度調整ハンドル１０４にて前記剥離エッジ部４を揺動させて前記先端軸４０５と被貼着物８との位置を調整するとともにラベル貼着時に前記剥離エッジ部４の揺動を阻止させる。
【００１５】
次に、本発明のラベル貼着装置で、角度調整ハンドル１０４にて前記剥離エッジ部４を揺動させて前記先端軸４０５と被貼着物８との位置を調整するとともにラベル貼着時に前記剥離エッジ部４の揺動を阻止させる動作を図３および図４を参照して以下、説明する。
【００１６】
図３は被貼着物の外径方向の大きさが大きい場合にＦ方向に剥離エッジを遥動させる場合の動作状態図である。図１においてレバーハンドル２０２をｇ方向に回動させることによりラチェット歯車１０７がＣ方向に回転がロックされているのを解除し、角度調整ハンドル１０４をＢ方向に回転させて、指示レバー１０２を表示Ｌの位置に合わせ、レバーハンドル２０２をＧ方向に回動させてラチェット歯車１０７にかみ合わせる。この時、第２歯車１０６はＤ方向に回転すると第１歯車３０２はＥ方向に回転しこの第１歯車３０２に固定された剥離エッジ部４はＦ方向に回転することになり、大きい被貼着物８ａをローラー６ａ、６ｂに載せることが出来る。大きい被貼着物８ａをローラー６ａ、６ｂに載せて角度調整ハンドル１０４をｂ方向に回転させると、剥離エッジ部４が第１歯車３０２の回転により被貼着物に近接し適切な剥離位置に設定する。ラベルシート７のラベル７０２が先端軸４０５で剥離される時に剥離エッジ部４がＦ方向に遥動するがラチェット爪部２とラチェット歯車１０７の圧接により剥離エッジ部４のＦ方向への遥動を阻止する。この状態で、ラベルシート７が被貼着物８ａ方向に送られて、剥離エッジ部４の先端軸４０５にてラベルシート７から分離されたラベル７０２を被貼着物８ａに対面させて、押えローラー１０にて前記ラベル７０２を被貼着物８ａに接触させて、被貼着物８ａをａ方向に回転させてラベル７０２を被貼着物８ａに貼着し、台紙７０１は台紙巻取り部１２にて巻取られる。この行程において剥離エッジ部４はＦ方向への揺動作用を受けるが、本発明のラチェット機構の利用即ち、ラチェット爪部２とラチェット歯車１０７の圧接によりその揺動が阻止される。
【００１７】
図４は被貼着物の外径方向の大きさが小さい場合の動作状態図で、小さい被貼着物８ｂをローラー６ａ、６ｂに載せて、角度調整ハンドル１０４をｂ方向に回転させて表示Ｓの方向に設定すると、剥離エッジ部４は第２歯車１０６がｄ方向に回転すると同時に第１歯車３０２がｅ方向に回転することによりｆ方向へ揺動し被貼着物に近接し適切な剥離位置に設定する。ラチェット爪部２とラチェット歯車１０７の圧接により剥離エッジ部４がラベル剥離時にＦ方向へ揺動するのを阻止する。この状態で、ラベルシート７が被貼着物８ｂ方向に送られて、剥離エッジ部４の先端軸４０５にてラベルシート７から分離されたラベル７０２を被貼着物８ｂに対面させて、押えローラー１０にて前記ラベル７０２を被貼着物８ｂに接触させて、被貼着物８ｂをａ方向に回転させてラベル７０２を被貼着物８ｂに貼着し、台紙７０１は台紙巻取り部１２にて巻取られる。この行程において剥離エッジ部４はＦ方向への揺動作用を受けるが、図３と同様に、本発明のラチェット機構の利用即ち、ラチェット爪部２とラチェット歯車１０７の圧接によりその揺動が阻止される。
【００１８】
本発明の実施例においては、被貼着物８を回転させながらラベル７０２を被貼着物に貼着する機構として、図１および図２記載のローラー６ａ、６ｂを実施例として説明したが、その構成はこれに限定するものではなく、例えば、被貼着物８を搬送するコンベア上に置かれた被貼着物８の面貼着において、この貼着物８と先端軸４０５との距離を調整する為にこの機構を用いても本願発明の要旨を逸脱するものではない。
【図面の簡単な説明】
【００１９】
【図１】押えローラーを省略した状態で本発明の実施例の要部を示す斜視図である。
【図２】本発明の実施例の全体外観図である。
【図３】被貼着物の外径方向の大きさが大きい場合の動作状態図である。
【図４】被貼着物の外径方向の大きさが小さい場合の動作状態図である。
【符号の説明】
【００２０】
１      角度調整部
２      ラチェット爪部
３      剥離エッジの揺動部
４      剥離エッジ部
３０１  軸
【図１】
2007084085.tif 000003
【図２】
2007084085.tif 000004
【図３】
2007084085.tif 000005
【図４】
2007084085.tif 000006